(57)【特許請求の範囲】
【請求項１】
交流電源からの交流電力の供給をオンオフ制御する電源開閉手段と、前記電源開閉手段を介して供給された前記交流電力を直流電力に変換して出力する整流回路と、前記整流回路から出力された直流電力が供給されるインバータ回路と、前記インバータ回路の出力端子に接続されたモータと、前記モータにより駆動され衣類を洗濯、脱水、あるいは乾燥する回転槽と、前記回転槽を覆う蓋と、ソレノイドと位置検出手段よりなり前記回転槽の回転中に前記蓋をロックするとともに前記位置検出手段によりロックの動作を検知する蓋ロック装置と、パワーＭＯＳＦＥＴよりなり前記蓋ロック装置を駆動する蓋ロック駆動手段と、前記インバータ回路または前記モータの電流を検出する電流検出手段と、前記パワーＭＯＳＦＥＴの端子電圧または電流を検出することで前記蓋ロック駆動手段の短絡異常を検出する短絡検知手段と、前記位置検出手段からの信号を入力し前記電源開閉手段、前記インバータ回路および前記蓋ロック駆動手段とを制御する制御手段とを備え、前記整流回路の直流電源端子に前記ソレノイドと前記パワーＭＯＳＦＥＴと前記電流検出手段とが直列関係に接続され、前記制御手段は、前記インバータ回路と前記蓋ロック駆動手段の駆動停止時に、前記蓋ロック駆動手段の短絡異常を検出するようにしたランドリー機器。
【請求項２】
制御手段は、マイクロコンピュータよりなり、蓋ロック駆動手段のパワーＭＯＳＦＥＴのゲート端子に５Ｖ電圧を加えて制御するようにした請求項１記載のランドリー機器。
【請求項３】
整流回路は、整流器と２ヶのコンデンサにより倍電圧直流電源を構成し、前記片側のコンデンサを直流電源として蓋ロック装置のソレノイドを直列関係に接続するようにした請求項１記載のランドリー機器。
【請求項４】
電源開閉手段は、運転開始スイッチと限流抵抗よりなる直列回路と、前記直列回路と並列関係に接続された電源リレーよりなり、前記運転開始スイッチを閉じると制御手段の動作が開始し、前記電源リレーを駆動し自己ラッチするようにした請求項１記載のランドリー機器。
【発明の詳細な説明】
【技術分野】
【０００１】
本発明は、衣類を洗濯、脱水する洗濯機、あるいは、洗濯から乾燥まで行う洗濯乾燥機等のランドリー機器に関するものである。
【背景技術】
【０００２】
近年、洗濯機、あるいは洗濯から乾燥まで行う洗濯乾燥機等のランドリー機器において、脱水回転中、あるいは加熱中に回転槽に人が触れないように蓋ロック装置が設けられている。
【０００３】
従来、この種の洗濯機は、特開平２０００−１４９８０号公報に示すように構成していた。すなわち、外槽内に洗濯兼脱水槽と撹拌翼を設け、この外槽の底部外側に取り付けた駆動モータにより洗濯兼脱水槽および撹拌翼を駆動するようにし、洗濯兼脱水槽に対向するように設けた衣類投入口を開閉するように蓋を設置し、洗濯兼脱水槽の回転中には蓋ロック手段により蓋の開動不能にロックし、蓋開放指示に基づいてロックを解除するようにしていた。
【特許文献１】特開２０００−１４９８０号公報
【発明の開示】
【発明が解決しようとする課題】
【０００４】
しかし、このような従来の構成では、蓋ロック手段をソレノイド等の電磁装置により構成し、大電流を流して鉄心（プラジャ）を吸引していたので、電磁装置（ソレノイド）を駆動する駆動手段が短絡故障すると、電磁装置が過熱焼損したり、さらに、電磁装置の駆動手段や制御手段が故障して不安全となる問題があった。
【０００５】
本発明は上記従来課題を解決するもので、蓋ロック駆動手段の短絡故障を安価で簡単に検出して、蓋ロック装置の過熱防止や故障時の制御が容易にできるようにし、安全性と信頼性を向上することを目的としている。
【課題を解決するための手段】
【０００６】
上記目的を達成するために本発明に係るランドリー機器は、交流電源からの交流電力の供給をオンオフ制御する電源開閉手段と、前記電源開閉手段を介して供給された前記交流電力を直流電力に変換して出力する整流回路と、前記整流回路から出力された直流電力が供給されるインバータ回路と、前記インバータ回路の出力端子に接続されたモータと、前記モータにより駆動され衣類を洗濯、脱水、あるいは乾燥する回転槽と、前記回転槽を覆う蓋と、ソレノイドと位置検出手段よりなり前記回転槽の回転中に前記蓋をロックするとともに前記位置検出手段によりロックの動作を検知する蓋ロック装置と、パワーＭＯＳＦＥＴよりなり前記蓋ロック装置を駆動する蓋ロック駆動手段と、前記インバータ回路または前記モータの電流を検出する電流検出手段と、前記パワーＭＯＳＦＥＴの端子電圧または電流を検出することで前記蓋ロック駆動手段の短絡異常を検出する短絡検知手段と、前記位置検出手段からの信号を入力し前記電源開閉手段、前記インバータ回路および前記蓋ロック駆動手段とを制御する制御手段とを備え、前記整流回路の直流電源端子に前記ソレノイドと前記パワーＭＯＳＦＥＴと前記電流検出手段とが直列関係に接続され、前記制御手段は、前記インバータ回路と前記蓋ロック駆動手段の駆動停止時に、前記蓋ロック駆動手段の短絡異常を検出するようにしたものである。
【０００７】
これにより、制御手段がパワーＭＯＳＦＥＴを駆動することで蓋ロック駆動手段を直接駆動することができるので、低価格で信頼性を向上することができる。
【０００８】
また、蓋ロック駆動手段であるパワーＭＯＳＦＥＴの短絡故障を簡単で安価な短絡検知手段により検出できるので、蓋ロック装置のソレノイドの短絡故障も未然に防止でき、機器の安全性と信頼性を向上することができる。
【発明の効果】
【０００９】
本発明のランドリー機器は、制御手段がパワーＭＯＳＦＥＴを駆動することで蓋ロック駆動手段を直接駆動することができるので、低価格で信頼性を向上することができる。
【００１０】
また、蓋ロック駆動手段であるパワーＭＯＳＦＥＴの短絡故障を簡単で安価な短絡検知手段により検出できるので、蓋ロック装置のソレノイドの短絡故障も未然に防止でき、機器の安全性と信頼性を向上することができる。
【発明を実施するための最良の形態】
【００１１】
第１の発明は、交流電源からの交流電力の供給をオンオフ制御する電源開閉手段と、前記電源開閉手段を介して供給された前記交流電力を直流電力に変換して出力する整流回路と、前記整流回路から出力された直流電力が供給されるインバータ回路と、前記インバータ回路の出力端子に接続されたモータと、前記モータにより駆動され衣類を洗濯、脱水、あるいは乾燥する回転槽と、前記回転槽を覆う蓋と、ソレノイドと位置検出手段よりなり前記回転槽の回転中に前記蓋をロックするとともに前記位置検出手段によりロックの動作を検知する蓋ロック装置と、パワーＭＯＳＦＥＴよりなり前記蓋ロック装置を駆動する蓋ロック駆動手段と、前記インバータ回路または前記モータの電流を検出する電流検出手段と、前記パワーＭＯＳＦＥＴの端子電圧または電流を検出することで前記蓋ロック駆動手段の短絡異常を検出する短絡検知手段と、前記位置検出手段からの信号を入力し前記電源開閉手段、前記インバータ回路および前記蓋ロック駆動手段とを制御する制御手段とを備え、前記整流回路の直流電源端子に前記ソレノイドと前記パワーＭＯＳＦＥＴと前記電流検出手段とが直列関係に接続され、前記制御手段は、前記インバータ回路と前記蓋ロック駆動手段の駆動停止時に、前記蓋ロック駆動手段の短絡異常を検出するものであり、制御手段がパワーＭＯＳＦＥＴを駆動することで蓋ロック駆動手段を直接駆動することができるので、低価格で信頼性を向上することができる。
【００１２】
また、蓋ロック駆動手段であるパワーＭＯＳＦＥＴの短絡故障を簡単で安価な短絡検知手段により検出できるので、蓋ロック装置のソレノイドの短絡故障も未然に防止でき、機器の安全性と信頼性を向上することができる。
【００１３】
第２の発明は、上記請求項１に記載の発明において、制御手段は、マイクロコンピュータよりなり、蓋ロック駆動手段のパワーＭＯＳＦＥＴのゲート端子に５Ｖ電圧を加えて制御するようにしたものであり、パワーＭＯＳＦＥＴを５Ｖの低電圧で駆動することで、低価格で信頼性を向上することができる。
【００１４】
第３の発明は、上記請求項１に記載の発明において、整流回路は、整流器と２ヶのコンデンサにより倍電圧直流電源を構成し、前記片側のコンデンサを直流電源として蓋ロック装置のソレノイドを直列関係に接続するようにしたものであり、直流電源端子は、倍電圧直流電源の片側のコンデンサに接続することで、電圧は交流電源の約１．４倍の電圧となり比較的低い電圧で駆動でき、パワーＭＯＳＦＥＴの電源定格を下げることができ、低価格で信頼性を向上することができる。
【００１５】
第４の発明は、上記請求項１に記載の発明において、電源開閉手段は、運転開始スイッ
チと限流抵抗よりなる直列回路と、前記直列回路と並列関係に接続された電源リレーよりなり、前記運転開始スイッチを閉じると制御手段の動作が開始し、前記電源リレーを駆動し自己ラッチするようにしたものであり、安全性を向上させ低価格で信頼性を向上することができる。
【００１６】
以下、本発明の実施の形態に付いて、図面を参照しながら説明する。
【００１７】
（実施の形態１）
図１に示すように、交流電源１は、電源開閉手段２を介して整流回路３に交流電力を加え、整流回路３は整流器３ａとコンデンサ３ｂ、３ｂ’により倍電圧直流電圧に変換し、直流電力をインバータ回路４に加える。
【００１８】
電源開閉手段２は、電源リレー２ａと、モーメンタリー動作の運転開始スイッチ２ｂと、運転開始スイッチ２ｂと直列関係に接続した限流抵抗２ｃより構成し、運転開始スイッチ２ｂを閉じると、整流回路３の直流出力電圧により動作する制御手段７が動作開始して、電源リレー２ａを駆動し電源リレー２ａを自己ラッチして電源がオンする。制御手段７より電源リレー２ａをオフすると自己ラッチが解除され自動的に電源が遮断され運転が停止するよう構成している。
【００１９】
インバータ回路４は、６個のパワースイッチング半導体と逆並列ダイオードよりなる３相フルブリッジインバータ回路より構成し、通常、絶縁ゲートバイポーラトランジスタ（ＩＧＢＴ）と逆並列ダイオードおよびその駆動回路と保護回路を内蔵したインテリジェントパワーモジュール（以下、ＩＰＭという）で構成している。インバータ回路４の出力端子にモータ５を接続している。
【００２０】
モータ５は直流ブラシレスモータより構成し、図２に示すように、回転子５０を構成する永久磁石５１と固定子５２との相対位置（回転子位置）をロータ位置検出手段６により検出する。ロータ位置検出手段６は、通常、３個のホールＩＣより構成し、電気角６０度ごとの位置を検出する。
【００２１】
制御手段７は、マイクロコンピュータよりなる制御回路７０と、蓋ロック駆動回路７１と、スイッチング手段駆動回路７２と、リレー駆動回路７３と、電流検知回路７４とより構成している。制御回路７０は、ロータ位置検出手段６からの信号によりインバータ回路４のＩＧＢＴの導通を制御するもので、キャリヤ周波数が１５ｋＨｚ以上の出力電流が正弦波状となるＰＷＭ制御によりモータ５に正弦波電流を流す。
【００２２】
電流検出手段８は無誘導のシャント抵抗よりなり、インバータ回路４、あるいはモータ５の電流を検出する。
【００２３】
蓋ロック装置９は、ソレノイドを構成するソレノイドコイル９ａとプランジャ９ｂと、プランジャ９ｂの位置検出手段９ｃとで構成し、整流回路３の倍電圧直流電源を構成する片側のコンデンサ３ｂ’を直流電源として、直列関係に接続された蓋ロック駆動手段１０によりソレノイドコイル９ａに通電すると、プランジャ９ｂを吸引して内部のハートカム機構（図示せず）によりラッチし、位置検出手段９ｃによりプランジャ９ｂの位置を検出して蓋ロック駆動手段１０の駆動を停止させる。
【００２４】
位置検出手段９ｃがオープン故障の確率が高い点を考慮して、ソレノイドコイル９ａを駆動してプランジャ９ｂを引っ張って蓋ロック装置９を開動作させると、位置検出手段９ｃのスイッチは閉じ、再度ソレノイドコイル９ａを駆動してプランジャ９ｂを引っ張るとハートカム機構がはずれて、スプリングによりプランジャ９ｂは戻されて位置検出手段９
ｃのスイッチは開き、蓋ロック装置９は閉動作となる。つまり、ソレノイドコイル９ａを駆動するごとに、蓋ロック装置９は開と閉を交互に反転動作する、いわゆる、オルタネート動作する。プランジャ９ｂの先端にはレバーを設け、レバーが突き出すと蓋をロックして開動作禁止し、レバーを引っ張ると蓋開動作可能となる。
【００２５】
位置検出手段９ｃは、プランジャ９ｂの位置検出ではなく、蓋ロックレバーの位置検出しても構わない。また、蓋ロックレバーの先端にマグネットを取り付け、リードスイッチにより蓋ロック動作の検知を行ってもよい。
【００２６】
短絡検知手段１１は、蓋ロック駆動手段１０の短絡異常を検出するもので、蓋ロック駆動手段１０をオフ動作させて、ソレノイドコイル９ａを非通電としたときの蓋ロック駆動手段１０の端子電圧、あるいは、ソレノイドコイル９ａの端子電圧、または、電流より短絡異常を検出するものである。
【００２７】
給水弁１２、クラッチ１３、排水弁１４は、スイッチング手段１５により制御される。
【００２８】
給水弁１２は、図２に示すように、回転槽１６の外側に設けた水受け槽１７に水道水を供給するもので、蓋ロック装置９は、回転槽１６の衣類投入口を開閉自在に覆う蓋１８の開閉を回転槽回転中に禁止するものである。排水弁１４は、水受け槽１７内の洗濯水を排水するものである。
【００２９】
クラッチ１３は、モータ５のモータ軸５３の出力を、減速機構１９を介して、回転槽１６の内底部に回転自在に設けた撹拌翼２０の駆動軸２１に接続するか、あるいは回転槽１６の駆動軸に直結するかを切り換えるもので、モータ５により回転槽１６あるいは撹拌翼２０を駆動する。なお、水受け槽１７はサスペンション２２を介して外枠２３に弾性的に吊り下げている。
【００３０】
上記構成において図３を参照しながら蓋ロック装置９の動作を説明する。ステップ１００より蓋ロック装置駆動行程が開始し、ステップ１０１にて位置検出手段９ｃによりプランジャ９ｂの位置検出を行い、つぎに、ステップ１０２に進んで蓋ロック駆動手段１０によりソレノイドコイル９ａを駆動する。つぎに、ステップ１０３に進んで位置検出手段９ｃの位置信号を入力し、ステップ１０４に進んで位置信号が反転したかどうか判定する。
【００３１】
位置信号が反転すれば、ステップ１０５に進んで蓋ロック駆動手段１０をオフしてソレノイドコイル９ａの駆動を停止し、つぎにステップ１０６に進んで短絡検知手段１１の短絡信号を入力し、ステップ１０７にて短絡検知信号の有無を判定し、短絡検知信号があればステップ１０８に進んで蓋ロック駆動手段１０の短絡異常フラグを立てて、ステップ１０９に進んで電源リレー２ａを遮断し、ステップ１１０で運転終了する。
【００３２】
ステップ１０７にて短絡検知信号がなければ正常と判定し、ステップ１１１に進んで蓋ロック駆動行程をリターンする。
【００３３】
ステップ１０４にて、位置信号が反転しなければ、ステップ１１２に進んで蓋ロック駆動手段１０の通電時間制御タイマーｔｏｎのカウントを開始させ、ステップ１１３に進んで通電タイマーｔｏｎが設定値ｔｓ以上となったかどうか判定し、設定値以上ならばステップ１１４に進んでソレノイドコイル９ａの駆動を停止させ、ステップ１１５に進んでタイマーをクリヤしてステップ１１６に進んでソレノイド動作異常フラグを立てて、ステップ１０６に進み短絡異常かどうか判定する。通電タイマーが設定値未満ならばステップ１０２に戻る。
【００３４】
蓋ロック装置９が正常ならば、ソレノイドコイル９ａを駆動して位置検出信号が反転するまでの時間は数１０ミリ秒なので、蓋ロック装置９と蓋ロック駆動手段１０の発熱はほとんどない。また、通電タイマーの最大通電設定値は、数１００ミリ秒に設定するので、ソレノイドコイル９ａの温度上昇定格は、瞬時定格、例えば１秒定格にできるので、発熱を考慮する必要がなく、コイル巻線の温度仕様を低くでき、安価なソレノイドにできる。
【００３５】
図４は、蓋ロック駆動手段１０、短絡検知手段１１、蓋ロック駆動回路７１の回路図であり、ソレノイドコイル９ａと、蓋ロック駆動手段１０を構成するパワーＭＯＳＦＥＴ１０ａを直列に接続して直流電源端子Ｖｂに接続する。直流電源端子Ｖｂは、前述したように、倍電圧整流回路の片方のコンデンサ３ｂ’に接続すると電圧は交流電源１の約１．４倍の電圧となり比較的低い電圧で駆動でき、パワーＭＯＳＦＥＴ１０ａの電圧定格を下げることができ、低価格で信頼性を高めることができる。
【００３６】
ダイオード１０ｂはフライホイールダイオードで、パワーＭＯＳＦＥＴ１０ａがターンオフしたとき、ソレノイドコイル９ａに蓄積された電磁エネルギーを放電させるものである。
【００３７】
短絡検知手段１１は、パワーＭＯＳＦＥＴ１０ａのドレイン端子電圧を検出するもので、抵抗１１１と抵抗１１２により端子電圧を分圧して制御手段７’に信号を加える。制御手段７’より蓋ロック駆動回路７１を介してゲート端子Ｇに５Ｖ以上の電圧を加えるとパワーＭＯＳＦＥＴ１０ａはオンし、ドレイン端子電圧は数Ｖ以下となる。蓋ロック駆動回路７１の出力信号が零の場合、パワーＭＯＳＦＥＴ１０ａはオフしてドレイン端子電圧は１００Ｖ以上となり、ドレイン端子電圧が数Ｖならば短絡故障と容易に判定できる。
【００３８】
なお、上記実施の形態は、パワーＭＯＳＦＥＴ１０ａのドレイン端子電圧を検出するものであるが、蓋ロック装置９のソレノイドコイル９ａの両端の電圧を検出してもよい。
【００３９】
（実施の形態２）
つぎに、本発明の実施の形態２について説明する。なお、上記実施の形態１と同じ構成のものは同一符号を付して説明を省略する。
【００４０】
図５は、電流検出により短絡検知手段を構成した実施の形態の回路図である。
【００４１】
図５に示すように、電流検知回路７４’は、インバータ回路４の電流検出と、蓋ロック駆動手段１０の短絡検知手段とを兼用するもので、シャント抵抗８の電圧降下を検出する。ここで、インバータ回路４と蓋ロック駆動手段１０の駆動停止時に、電流検知回路７４’の過電流検知設定値をソレノイド駆動電流以下に設定することにより蓋ロック駆動手段１０の短絡異常を検出するようにしている。
【００４２】
図５において、インバータ回路４のグランド電位と電流検知回路７４’のグランド電位を同電位とし、インバータ回路４と整流回路３のコンデンサ３ｂ’の間にシャント抵抗８を接続し、シャント抵抗８に電流が流れると、シャント抵抗８の整流回路側端子Ｂ２の電位はグランド電位に対して負となる。
【００４３】
電流検知回路７４’は、コンパレータ７４０の＋端子側に、抵抗７４１ａ、７４１ｂよりなる分圧回路を設け、抵抗７４１ａ、７４１ｂの分圧信号をコンパレータ７４０の＋端子に接続し、抵抗７４１ｂの負電位側に、フィルター回路７４２を介してシャント抵抗８の負電位側端子Ｂ２を接続する。
【００４４】
コンパレータ７４０の−端子側に、抵抗７４３ａ、７４３ｂ、７４３ｃよりなる分圧回
路を設け、抵抗７４３ａ、７４３ｂの接続点をコンパレータ７４０の−端子側に接続し、トランジスタ７４５ａのコレクタを抵抗７４３ａと抵抗７４３ｂの接続点に接続し、トランジスタ７４５ａのエミッタをグランドに接続し、トランジスタ７４５ａのベースに接続された抵抗７４５ｂの信号端子Ｓ１をハイ信号にするとトランジスタ７４５ａのコレクタは接地されて、コンパレータ７４０の−端子も接地される。
【００４５】
抵抗７４３ｂと抵抗７４３ｃの接続点に、トランジスタ７４６ａのコレクタを接続し、トランジスタ７４６ａのエミッタ端子は接地し、トランジスタ７４６ａのベースに接続された抵抗７４６ｂの信号端子Ｓ２をハイ信号にするとトランジスタ７４６ａのコレクタは接地されて、抵抗７４３ｂと抵抗７４３ｃの接続点が接地されて、コンパレータ７４０の−端子電位は低下する。
【００４６】
トランジスタ７４５ａ、トランジスタ７４６ａがオフの場合、コンパレータ７４０の−端子電位ｖｒは最も高い電圧ｖｒ２となり、トランジスタ７４６ａがオンするとコンパレータ７４０の−端子電位ｖｒは低下してｖｒ１となり、トランジスタ７４５ａがオンすると端子電位ｖｒはグランド電位となる。
【００４７】
コンパレータ７４０の＋端子電位ｖｉは、インバータ回路４が動作しない場合、ｖｒ２よりも高い電位に設定され、コンパレータ７４０の出力はハイとなっている。インバータ回路４の動作時には、信号Ｓ１がハイとなり、コンパレータ７４０の−端子電位ｖｒは接地されているので、シャント抵抗８の電流が増加して、端子電圧が低下しないとコンパレータ７４０の出力信号Ｓａはローにならない。いいかえれば、過電流設定値は最大値となり、トランジスタ７４５ａ、トランジスタ７４６ａがオフの場合、過電流設定値は最低値となる。
【００４８】
蓋ロック駆動手段１０の短絡異常を検出する場合には、トランジスタ７４５ａ、トランジスタ７４６ａをオフにして、過電流設定値は蓋ロック装置９のソレノイド駆動電流よりも小さな値とし、ソレノイド駆動電流により過電流検知出力Ｓａがロー出力される。
【００４９】
よって、インバータ回路４と、蓋ロック駆動手段の駆動を停止させて、トランジスタ７４５ａ、トランジスタ７４６ａをオフにして電流検知回路７４’の出力信号Ｓａがローとなると短絡異常と判定できる。
【００５０】
（実施の形態３）
つぎに、本発明の実施の形態３について説明する。図１に示す制御手段７は、電源開閉手段２を投入した直後、短絡検知手段１１により蓋ロック駆動手段１０の短絡異常を検出し、短絡異常時に電源開閉手段２を自動遮断するようにしている。他の構成は上記実施の形態１と同じである。
【００５１】
上記構成において図６フローチャートを参照しながら動作を説明する。ステップ２００より電源開閉手段２を構成する運転開始スイッチ２ｂをオンして制御手段７の動作が開始する。ステップ２０１にて、各種初期設定を行い、つぎにステップ２０２に進んで電源リレー２ａを駆動する。電源リレー２ａがオンすると、運転開始スイッチ２ｂをオフしても電源リレー２ａがオン状態となり、交流電源１より整流回路３を介してインバータ回路４に直流電力が供給される。
【００５２】
つぎに、ステップ２０３に進んでソレノイドコイル９ａの駆動停止を確認し、ステップ２０４に進んで短絡検知手段１１の短絡信号を入力する。つぎに、ステップ２０５に進んで短絡異常信号の有無を判定し、短絡異常信号があれば、ステップ２０６に進んで蓋ロック駆動手段１０の短絡異常フラグを立てて、ステップ２０７に進み、電源リレー２ａをオ
フして電源を遮断し、ステップ２０８で運転を終了する。ステップ２０５にて短絡異常信号がなければ正常と判断し、次行程に進む。
【００５３】
電源開閉手段２の投入時に、蓋ロック駆動手段１０が短絡故障状態ならば、プランジャ９ｂは吸引されて蓋ロック装置９が閉ならば開となり、開ならば閉となる。本発明によれば、蓋ロック駆動手段１０が短絡状態ならば、短絡検知手段１１により短絡状態を検出して電源リレー２ａにより遮断されるので、蓋ロック装置９が過熱してソレノイドコイル９ａが損傷することはないので、蓋ロック駆動手段１０を搭載した制御基板のみ交換すればよい。
【００５４】
もし、本発明のような保護手段がなければ、蓋ロック駆動手段１０の短絡異常により、蓋ロック装置９が過熱焼損する２重故障となり、制御基板と蓋ロック装置９を交換する必要がある。蓋ロック装置９のソレノイド内部でコイルレヤーショートに至ると、ソレノイドの異常が発見されるまで、何度も制御基板が交換されることとなる。
【００５５】
また、蓋ロック駆動手段１０が短絡故障した場合、電流ヒューズが溶断する保護方式の場合には、制御基板を交換するまで蓋ロック状態が開動作できなくなり、回転槽内部の衣類を取り出せなくなる問題があったが、本発明によれば、電源スイッチ２ｂをオンすると蓋ロック装置９が開動作するので、衣類を取り出せなくなる問題が解消される。
【図面の簡単な説明】
【００５６】
【図１】本発明の実施の形態１のランドリー機器の一部ブロック化した回路図
【図２】同ランドリー機器の断面図
【図３】同ランドリー機器の蓋ロック装置駆動行程のフローチャート
【図４】同ランドリー機器の蓋ロック駆動手段と短絡検知手段の回路図
【図５】本発明の実施の形態２のランドリー機器の短絡検知手段の回路図
【図６】本発明の実施の形態３のランドリー機器の電源投入時のフローチャート
【符号の説明】
【００５７】
７  制御手段
９  蓋ロック装置
１０  蓋ロック駆動手段
１１  短絡検知手段
１６  回転槽
１８  蓋
【図１】
0004442645.tif 000002
【図２】
0004442645.tif 000003
【図３】
0004442645.tif 000004
【図４】
0004442645.tif 000005
【図５】
0004442645.tif 000006
【図６】
0004442645.tif 000007